(57)【要約】【課題】誤動作を低減することができるタイミングコントローラ、これを含む液晶表示装置及び液晶表示装置の駆動方法を提供する。【解決手段】過渡応答区間と定常状態区間とを含むユーザコマンド信号を、ユーザのハンドリングに応答して出力するハンドリング部と、定常状態区間のユーザコマンド信号の電圧レベルに応答してモジュール制御信号を出力するタイミングコントローラを有し、該タイミングコントローラは、コンバーティングイネーブル信号を提供するカウンタ部と、コンバーティングイネーブル信号に応答してユーザコマンド信号をデジタル形態のデジタルユーザコマンド信号に変換するアナログデジタルコンバータ、及びデジタルユーザコマンド信号に対応するモジュール制御信号を生成する制御信号生成部を含む。【選択図】図１
2008310279.tif 000002
【特許請求の範囲】
【請求項１】
過渡応答区間と定常状態区間とを含むユーザコマンド信号をユーザのハンドリングに応答して出力するハンドリング部と、
前記定常状態区間の前記ユーザコマンド信号の電圧レベルに応答してモジュール制御信号を出力するタイミングコントローラと、を有することを特徴とする液晶表示装置。
【請求項２】
前記タイミングコントローラは前記過渡応答区間の前記ユーザコマンド信号の電圧レベルを無視することを特徴とする請求項１に記載の液晶表示装置。
【請求項３】
前記定常状態区間の前記ユーザコマンド信号の電圧レベルは前記ユーザのハンドリングによって可変であることを特徴とする請求項１に記載の液晶表示装置。
【請求項４】
前記タイミングコントローラは、前記過渡応答区間の前記ユーザコマンド信号の電圧レベルを無視して、前記定常状態区間の前記ユーザコマンド信号をデジタルユーザコマンド信号に変換し、前記デジタルユーザコマンド信号に対応する前記モジュール制御信号を生成することを特徴とする請求項１に記載の液晶表示装置。
【請求項５】
前記タイミングコントローラは、
前記定常状態区間でコンバーティングイネーブル信号を供給するカウンタ部と、
前記コンバーティングイネーブル信号に応答して前記定常状態区間の前記ユーザコマンド信号を前記デジタルユーザコマンド信号に変換するアナログデジタルコンバータと、
前記デジタルユーザコマンド信号に対応する前記モジュール制御信号を生成する制御信号生成部と、を含むことを特徴とする請求項４に記載の液晶表示装置。
【請求項６】
前記過渡応答区間の間、内部クロック信号のクロック数がｍ回（ｍは自然数）であるとき、
前記カウンタ部は前記内部クロック信号のクロック数をｍ回カウントした後、前記コンバーティングイネーブル信号を供給することを特徴とする請求項５に記載の液晶表示装置。
【請求項７】
前記タイミングコントローラは、
前記過渡応答区間の前記ユーザコマンド信号を第１デジタルユーザコマンド信号に変換し、前記定常状態区間の前記ユーザコマンド信号を第２デジタルユーザコマンド信号に変換し、
前記第１デジタルユーザコマンド信号を無視して、前記第２デジタルユーザコマンド信号に対応する前記モジュール制御信号を生成することを特徴とする請求項１に記載の液晶表示装置。
【請求項８】
前記タイミングコントローラは、
前記過渡応答区間で前記第１デジタルユーザコマンド信号を出力し、前記定常状態区間で前記第２デジタルユーザコマンド信号を出力するアナログデジタルコンバータと、
前記定常状態区間でジェネレーティングイネーブル信号を供給するカウンタ部と、
前記ジェネレーティングイネーブル信号に応答して前記第２デジタルユーザコマンド信号に対応する前記モジュール制御信号を生成する制御信号生成部とを含むことを特徴とする請求項７に記載の液晶表示装置。
【請求項９】
前記過渡応答区間の間、内部クロック信号のクロック数がｍ回（ｍは自然数）であるとき、前記カウンタ部は前記内部クロック信号のクロック数をｍ回カウントした後、前記ジェネレーティングイネーブル信号を供給することを特徴とする請求項８に記載の液晶表示装置。
【請求項１０】
画像を表示する液晶パネルと、前記液晶パネルに光を提供するバックライトユニットとをさらに有し、前記モジュール制御信号は前記バックライトユニットの輝度を制御することを特徴とする請求項１に記載の液晶表示装置。
【請求項１１】
画像を表示する液晶パネルと、前記液晶パネルに光を提供するバックライトユニットとをさらに有し、前記モジュール制御信号は前記バックライトユニットのオン／オフを制御することを特徴とする請求項１に記載の液晶表示装置。
【請求項１２】
前記タイミングコントローラとインターフェースする少なくとも１つ以上のモジュールをさらに含み、前記モジュール制御信号は前記ユーザのハンドリングに従い前記モジュールの動作を制御する信号であることを特徴とする請求項１に記載の液晶表示装置。
【請求項１３】
コンバーティングイネーブル信号を供給するカウンタ部と、
前記コンバーティングイネーブル信号に応答してユーザコマンド信号をデジタルユーザコマンド信号に変換するアナログデジタルコンバータと、
前記デジタルユーザコマンド信号に対応する前記モジュール制御信号を生成する制御信号生成部と、を有することを特徴とするタイミングコントローラ。
【請求項１４】
前記ユーザコマンド信号は過渡応答区間と定常状態区間とを含み、前記過渡応答区間の間、内部クロック信号のクロック数がｍ回（ｍは自然数）であるとき、前記カウンタ部は前記内部クロック信号のクロック数をｍ回カウントした後、前記コンバーティングイネーブル信号を供給することを特徴とする請求項１３に記載のタイミングコントローラ。
【請求項１５】
前記モジュール制御信号はバックライトユニットの輝度またはオン／オフを制御する信号であることを特徴とする請求項１３に記載のタイミングコントローラ。
【請求項１６】
ユーザのハンドリングに応答してユーザコマンド信号を出力するが、前記ユーザコマンド信号は過渡応答区間と定常状態区間とを含み、
前記定常状態区間の前記ユーザコマンド信号の電圧レベルに応答してモジュール制御信号を出力することを含むことを特徴とする液晶表示装置の駆動方法。
【請求項１７】
前記モジュール制御信号を出力するのは、前記過渡応答区間の前記ユーザコマンド信号の電圧レベルを無視することを含むことを特徴とする請求項１６に記載の液晶表示装置の駆動方法。
【請求項１８】
前記定常状態区間の前記ユーザコマンド信号の電圧レベルは前記ユーザのハンドリングによって可変であることを特徴とする請求項１６に記載の液晶表示装置の駆動方法。
【請求項１９】
前記モジュール制御信号を出力するのは、
前記定常状態区間の前記ユーザコマンド信号をデジタル形態のデジタルユーザコマンド信号に変換し、
前記デジタルユーザコマンド信号に対応する前記モジュール制御信号を生成することを含むことを特徴とする請求項１６に記載の液晶表示装置の駆動方法。
【請求項２０】
前記過渡応答区間の間、内部クロック信号のクロック数がｍ回（ｍは自然数）であるとき、前記デジタルユーザコマンド信号に変換するのは、
前記内部クロック信号のクロック数をｍ回カウントした後、前記コンバーティングイネーブル信号を供給し、
前記コンバーティングイネーブル信号に応答して前記定常状態区間の前記ユーザコマンド信号を前記デジタルユーザコマンド信号に変換することを含むことを特徴とする請求項１９に記載の液晶表示装置の駆動方法。
【請求項２１】
前記モジュール制御信号によってバックライトユニットの輝度またはオン／オフを制御することをさらに含むことを特徴とする請求項１６に記載の液晶表示装置の駆動方法。
【発明の詳細な説明】
【技術分野】
【０００１】
本発明は、タイミングコントローラ、これを含む液晶表示装置及び液晶表示装置の駆動方法に関し、より詳しくは、誤動作を低減することができるタイミングコントローラ、これを含む液晶表示装置及び液晶表示装置の駆動方法に関する。
【背景技術】
【０００２】
液晶表示装置は、画素電極が備えられた第１表示板、共通電極が備えられた第２表示板、第１表示板と第２表示板との間に注入された誘電率異方性を有する液晶層を有する液晶パネルを含む。画素電極と共通電極との間に電界が形成され、この電界の強度が調節されることによって、液晶パネルを透過する光の量が制御されて所望の映像が表示される。このような液晶表示装置は自発光装置ではないので、バックライトユニットから光を受けて動作する。
【０００３】
このような液晶表示装置は、ユーザが画面の輝度、大きさなどを調整することができるオンスクリーンディスプレイ（Ｏｎ  Ｓｃｒｅｅｎ  Ｄｉｓｐｌａｙ）（以下、「ＯＳＤ」と略記）機能を支援する。例えば、輝度を調節するためにユーザがキーパッドを操作すれば、タイミングコントローラはキーパッドから供給された信号が輝度を調節する信号であるのを認識し、バックライトユニットを制御して輝度を調節する。ここでユーザによって調節された輝度情報はＯＳＤ機能を使って画面に表示される（例えば特許文献１参照）。
【０００４】
しかし、ここでタイミングコントローラがユーザのキーパッド操作によって生成された信号を誤って認識した場合、誤動作するようになる。
【特許文献１】大韓民国特許第１０−０６０９１７６号明細書。
【発明の開示】
【発明が解決しようとする課題】
【０００５】
そこで、本発明は上記従来の液晶表示装置における問題点に鑑みてなされたものであって、本発明の目的は誤動作を低減することができるタイミングコントローラを提供することにある。
【０００６】
また、本発明の他の目的は誤動作を低減することができる液晶表示装置を提供することにある。
【０００７】
さらに、本発明のさらなる目的は誤動作を低減することができる液晶表示装置の駆動方法を提供することにある。
【課題を解決するための手段】
【０００８】
上記目的を達成するためになされた本発明による液晶表示装置は、過渡応答区間と定常状態区間とを含むユーザコマンド信号を、ユーザのハンドリングに応答して出力するハンドリング部と、定常状態区間のユーザコマンド信号の電圧レベルに応答してモジュール制御信号を出力するタイミングコントローラとを有することを特徴とする。
【０００９】
前記タイミングコントローラは、前記過渡応答区間の前記ユーザコマンド信号の電圧レベルを無視することが好ましい。
前記定常状態区間の前記ユーザコマンド信号の電圧レベルは前記ユーザのハンドリングによって可変であることが好ましい。
前記タイミングコントローラは、前記過渡応答区間の前記ユーザコマンド信号の電圧レベルを無視して、前記定常状態区間の前記ユーザコマンド信号をデジタルユーザコマンド信号に変換し、前記デジタルユーザコマンド信号に対応する前記モジュール制御信号を生成することが好ましい。
前記タイミングコントローラは、前記定常状態区間でコンバーティングイネーブル信号を供給するカウンタ部と、前記コンバーティングイネーブル信号に応答して前記定常状態区間の前記ユーザコマンド信号を前記デジタルユーザコマンド信号に変換するアナログデジタルコンバータと、前記デジタルユーザコマンド信号に対応する前記モジュール制御信号を生成する制御信号生成部と、を含むことが好ましい。
前記過渡応答区間の間、内部クロック信号のクロック数がｍ回（ｍは自然数）であるとき、前記カウンタ部は前記内部クロック信号のクロック数をｍ回カウントした後、前記コンバーティングイネーブル信号を供給することが好ましい。
前記タイミングコントローラは、前記過渡応答区間の前記ユーザコマンド信号を第１デジタルユーザコマンド信号に変換し、前記定常状態区間の前記ユーザコマンド信号を第２デジタルユーザコマンド信号に変換し、前記第１デジタルユーザコマンド信号を無視して、前記第２デジタルユーザコマンド信号に対応する前記モジュール制御信号を生成することが好ましい。    前記タイミングコントローラは、前記過渡応答区間で前記第１デジタルユーザコマンド信号を出力し、前記定常状態区間で前記第２デジタルユーザコマンド信号を出力するアナログデジタルコンバータと、  前記定常状態区間でジェネレーティングイネーブル信号を供給するカウンタ部と、前記ジェネレーティングイネーブル信号に応答して前記第２デジタルユーザコマンド信号に対応する前記モジュール制御信号を生成する制御信号生成部とを含むことが好ましい。
前記過渡応答区間の間、内部クロック信号のクロック数がｍ回（ｍは自然数）であるとき、前記カウンタ部は前記内部クロック信号のクロック数をｍ回カウントした後、前記ジェネレーティングイネーブル信号を供給することが好ましい。
画像を表示する液晶パネルと、前記液晶パネルに光を提供するバックライトユニットとをさらに有し、前記モジュール制御信号は前記バックライトユニットの輝度を制御することが好ましい。
画像を表示する液晶パネルと、前記液晶パネルに光を提供するバックライトユニットとをさらに有し、前記モジュール制御信号は前記バックライトユニットのオン／オフを制御することが好ましい。
前記タイミングコントローラとインターフェースする少なくとも１つ以上のモジュールをさらに含み、前記モジュール制御信号は前記ユーザのハンドリングによって従い前記モジュールの動作を制御する信号であることが好ましい。
【００１０】
上記目的を達成するためになされた本発明によるタイミングコントローラは、コンバーティングイネーブル信号を供給するカウンタ部と、前記コンバーティングイネーブル信号に応答してユーザコマンド信号をデジタルユーザコマンド信号に変換するアナログデジタルコンバータと、前記デジタルユーザコマンド信号に対応する前記モジュール制御信号を生成する制御信号生成部と、を有することを特徴とする。
【００１１】
前記ユーザコマンド信号は過渡応答区間と定常状態区間とを含み、前記過渡応答区間の間、内部クロック信号のクロック数がｍ回（ｍは自然数）であるとき、前記カウンタ部は前記内部クロック信号のクロック数をｍ回カウントした後、前記コンバーティングイネーブル信号を供給することが好ましい。
前記モジュール制御信号はバックライトユニットの輝度またはオン／オフを制御する信号であることが好ましい。  
【００１２】
上記目的を達成するためになされた本発明による液晶表示装置の駆動方法は、ユーザのハンドリングに応答してユーザコマンド信号を出力するが、前記ユーザコマンド信号は過渡応答区間と定常状態区間とを含み、前記定常状態区間の前記ユーザコマンド信号の電圧レベルに応答してモジュール制御信号を出力することを含むことを特徴とする。
【００１３】
前記モジュール制御信号を出力するのは、前記過渡応答区間の前記ユーザコマンド信号の電圧レベルを無視することを含むことが好ましい。
【００１４】
前記定常状態区間の前記ユーザコマンド信号の電圧レベルは前記ユーザのハンドリングによって可変であることが好ましい。
前記モジュール制御信号を出力するのは、前記定常状態区間の前記ユーザコマンド信号をデジタル形態のデジタルユーザコマンド信号に変換し、前記デジタルユーザコマンド信号に対応する前記モジュール制御信号を生成することが好ましい。
前記過渡応答区間の間、内部クロック信号のクロック数がｍ回（ｍは自然数）であるとき、前記デジタルユーザコマンド信号に変換するのは、前記内部クロック信号のクロック数をｍ回カウントした後、前記コンバーティングイネーブル信号を供給し、前記コンバーティングイネーブル信号に応答して前記定常状態区間の前記ユーザコマンド信号を前記デジタルユーザコマンド信号に変換することを含むことが好ましい。
前記モジュール制御信号によってバックライトユニットの輝度またはオン／オフを制御することをさらに含むことが好ましい。
【発明の効果】
【００１５】
本発明の実施形態によるタイミングコントローラ、これを含む液晶表示装置及び液晶表示装置の駆動方法によって、誤動作を低減できるという効果がある。
【発明を実施するための最良の形態】
【００１６】
次に、本発明に係るタイミングコントローラ、これを含む液晶表示装置及び液晶表示装置の駆動方法を実施するための最良の形態の具体例を図面を参照しながら説明する。
【００１７】
本明細書に記載の「過度応答区間」は、信号の電圧レベルが第１電圧レベルから、第１電圧レベルと異なる第２電圧レベルに遷移するときの区間を意味する。また、本明細書に記載の「定常状態区間」は、信号の電圧レベルが所定時間の間、所定マージンを有して一定の電圧レベルに維持される区間を意味する。
【００１８】
図１ないし図６を参照して本発明の実施形態によるタイミングコントローラ、これを含む液晶表示装置及び液晶表示装置の駆動方法を説明する。図１は本発明の実施形態によるタイミングコントローラ、これを含む液晶表示装置及び液晶表示装置の駆動方法を説明するための液晶表示装置の背面図であり、図２は図１の液晶表示装置の正面図であり、図３は図１の液晶表示装置の概略的なブロック図であり、図４は図３の一画素の等価回路図であり、図５は図３のハンドリング部の例示的な回路図であり、図６は図５の動作を説明するためのグラフである。以下ではデジタルディスプレイインターフェース標準であるディスプレイポートで動作する液晶表示装置を例にとって説明する。ディスプレイポートはビデオエレクトロニクス標準化協会（Ｖｉｄｅｏ  Ｅｌｅｃｔｒｏｎｉｃｓ  Ｓｔａｎｄａｒｄ  Ａｓｓｏｃｉａｔｉｏｎ）（以下、「ＶＥＳＡ」と略記）によって標準化されたデジタルディスプレイインターフェース方式である。ただし、本発明はこれに限定されるものではない。
【００１９】
まず、図１及び図２を参照して実施形態による液晶表示装置の構造を説明する。特に、液晶表示装置と外部ホスト装置との接続関係及び液晶表示装置の内部モジュール間の接続関係を説明する。
【００２０】
液晶表示装置１０は第１コネクタ７１０を介して外部ホスト装置（図示せず）と接続される。第１コネクタ７１０は外部ホスト装置（図示せず）、例えばコンピュータから出力されたデータ信号（ＶＩＤＥＯ，ＡＵＤＩＯ）及び／または制御信号（ＣＯＮＴ＿Ｖ，ＣＯＮＴ＿Ａ）を伝送する送信ケーブル７３０と接続される。第１コネクタ７１０を介して入力されたデータ信号（ＶＩＤＥＯ，ＡＵＤＩＯ）及び／または制御信号（ＣＯＮＴ＿Ｖ，ＣＯＮＴ＿Ａ）はタイミングコントローラ６００に供給される。
【００２１】
ここで、データ信号（ＶＩＤＥＯ，ＡＵＤＩＯ）は画像信号（ＶＩＤＥＯ）と音声信号（ＡＵＤＩＯ）を含むことができる。制御信号（ＣＯＮ＿Ｖ，ＣＯＮ＿Ａ）は画像制御信号（ＣＯＮ＿Ｖ）または音声制御信号（ＣＯＮ＿Ａ）であり得る。画像制御信号（ＣＯＮ＿Ｖ）は画像の輝度などを制御する信号であり得、音声制御信号（ＣＯＮ＿Ａ）は音量を制御する信号であり得る。また、制御信号（ＣＯＮ＿Ｖ，ＣＯＮ＿Ａ）はＶＥＳＡによって標準化されたモニタ制御コマンドセット（Ｍｏｎｉｔｏｒ  Ｃｏｎｔｒｏｌ  Ｃｏｍｍａｎｄ  Ｓｅｔ）（以下、「ＭＣＣＳ」と略記）であり得る。すなわち、データ信号（ＶＩＤＥＯ，ＡＵＤＩＯ）及び制御信号（ＣＯＮ＿Ｖ，ＣＯＮ＿Ａ）はデジタルディスプレイインターフェース標準であるディスプレイポートに使われる信号であり得る。
【００２２】
液晶表示装置１０の内部の各モジュールは第２コネクタ７２０を介して互いに接続される。すなわち、タイミングコントローラ６００は第２コネクタ７２０を介してインバータ８１０、電源供給部８２０及びハンドリング部８３０とそれぞれ電気的に接続されて動作する。
【００２３】
電源供給部８２０は第２コネクタ７２０に接続される。電源供給部８２０は外部電圧、例えば交流形態の電圧を受けて液晶表示装置１０の各モジュールに使われる電源電圧Ｖｃｃ、例えば５Ｖの直流電圧を生成し、生成された電源電圧Ｖｃｃを第２コネクタ７２０を介して、回路基板７００に実装されたタイミングコントローラ６００、データ駆動部５００及びその他回路（図示せず）に供給する。また、インバータ８１０に必要な電源電圧Ｖｃｃも供給する。ただし、電源供給部８２０で生成する前、電源電圧Ｖｃｃが直接タイミングコントローラ６００、データ駆動部５００及びその他回路（図示せず）に印加されず、電源電圧Ｖｃｃを電圧コンバータ（図示せず）によって他の電圧に変換してタイミングコントローラ６００、データ駆動部５００及びその他回路（図示せず）に印加することもできる。
【００２４】
ハンドリング部８３０及びインバータ８１０は第２コネクタ７２０に接続されて、タイミングコントローラ６００とインターフェースすることができる。
【００２５】
ハンドリング部８３０は、例えば図２に示すように、液晶表示装置１０の前面にボタンＢ１，Ｂ２，Ｂ３の形態で備えられ、ユーザのハンドリングによってユーザコマンド信号ＵＣＳ＿Ａを生成することができる。またはハンドリング部８３０はキーボード（図示せず）であり得る。タイミングコントローラ６００はユーザコマンド信号ＵＣＳ＿Ａを受けて第２コネクタ７２０を介してユーザコマンド信号（ＵＣＳ＿Ａ）に対応するモジュール制御信号（ＤＩＭ，ＯＮ／ＯＦＦ）を出力する。例えば、ユーザコマンド信号（ＵＣＳ＿Ａ）がバックライトユニット９００のオン／オフを命令する信号である場合、タイミングコントローラ６００は第２コネクタ７２０を介してオン／オフ信号（ＯＮ／ＯＦＦ）をインバータ８１０に供給することができる。または、ユーザコマンド信号（ＵＣＳ＿Ａ）がバックライトユニット９００の輝度の調節を命令する信号である場合、タイミングコントローラ６００は第２コネクタ７２０を介してディミング信号（ＤＩＭ）をインバータ８１０に供給することができる。または、ユーザコマンド信号（ＵＣＳ＿Ａ）が液晶表示装置１０から出力される音量の調節を命令する信号であり得る。
【００２６】
インバータ８１０は第２コネクタ７２０を介してタイミングコントローラ６００からディミング信号（ＤＩＭ）またはオン／オフ信号（ＯＮ／ＯＦＦ）を受けてバックライトユニットの輝度及びオン／オフを制御する。
【００２７】
図３ないし図６を参照して液晶表示装置の各モジュールの構造及び動作をより具体的に説明する。
【００２８】
液晶パネル３００は等価回路でみれば、複数の表示信号線（Ｇ１〜Ｇｎ，Ｄ１〜Ｄｍ）と、これに接続されて行列の形態に配列された複数の画素ＰＸを含む。ここで図４を参照すれば、液晶パネル３００は対向する第１表示板１００と第２表示板２００、及び両間に挟まれている液晶層１５０を含む。
【００２９】
表示信号線（Ｇ１〜Ｇｎ，Ｄ１〜Ｄｍ）はゲート信号を伝達する複数のゲートライン（Ｇ１〜Ｇｎ）と、データ信号を伝達する複数のデータライン（Ｄ１〜Ｄｍ）とを含む。ゲートライン（Ｇ１〜Ｇｎ）は略行方向に延長されて互いに略平行し、データライン（Ｄ１〜Ｄｍ）は略列方向に延長されて互いに略平行する。
【００３０】
図４に示すように、一画素ＰＸ、例えばｉ番目（ｉ＝１、２、…、ｎ）ゲートラインＧｉとｊ番目（ｊ＝１、２、…、ｍ）データラインＤｊに連結された画素ＰＸは、信号線Ｇｉ，Ｄｊに連結されたスイッチング素子Ｑと液晶キャパシタとを含む。液晶キャパシタは第１表示板１００上に形成された画素電極ＰＥと第２表示板に形成された共通電極ＣＥ及びその間の液晶層で構成される。第２表示板の一部領域にカラーフィルタＣＦが形成できる。一画素ＰＸは保持キャパシタＣｓｔをさらに含むことができる。
【００３１】
ゲート駆動部４００はタイミングコントローラ６００から供給されたゲート制御信号（ＣＯＮＴ１）に応答してゲート信号をゲートライン（Ｇ１〜Ｇｎ）に印加する。
【００３２】
データ駆動部５００は液晶パネル３００のデータライン（Ｄ１〜Ｄｍ）に連結されて画像信号ＤＡＴに該当する階調電圧を選択し、選択された階調電圧をデータ制御信号ＣＯＮＴ２に応答して画素ＰＸに印加する。
【００３３】
ゲート駆動部４００またはデータ駆動部５００は複数の駆動ＩＣ形態で液晶パネル３００上に直接取り付けられたり、フレキシブル印刷回路膜（図示せず）上に取り付けられて、テープキャリアパッケージの形態で液晶パネル３００に取り付けられることもあり得る。これとは違って、ゲート駆動部４００またはデータ駆動部５００は表示信号線（Ｇ１〜Ｇｎ，Ｄ１〜Ｄｍ）とスイッチング素子Ｑと共に液晶パネル３００に集積されることもあり得る。図１ではデータ駆動部５００だけが駆動ＩＣ形態で液晶パネル３００上に直接取り付けられた場合が示されている。
【００３４】
タイミングコントローラ６００はデータ信号（ＶＩＤＥＯ，ＡＵＤＩＯ）及び／または制御信号（ＣＯＮＴ＿Ｖ，ＣＯＮＴ＿Ａ）を受けて、ゲート制御信号（ＣＯＮＴ１）とデータ制御信号（ＣＯＮＴ２）を生成し、ゲート制御信号（ＣＯＮＴ１）をゲート駆動部４００に、データ制御信号（ＣＯＮＴ２）と画像信号（ＤＡＴ）をデータ駆動部５００に供給する。
【００３５】
また、タイミングコントローラ６００はハンドリング部８３０から出力されたユーザコマンド信号（ＵＣＳ＿Ａ）を受けて、これに応答してモジュール制御信号（ＤＩＭ，ＯＮ／ＯＦＦ）を出力する。上述したように、モジュール制御信号（ＤＩＭ，ＯＮ／ＯＦＦ）はインバータ８１０に供給される信号であって、オン／オフ信号（ＯＮ／ＯＦＦ）またはディミング信号（ＤＩＭ）であり得る。インバータ８１０はオン／オフ信号（ＯＮ／ＯＦＦ）またはディミング信号（ＤＩＭ）を受けてバックライトユニット９００を制御する。液晶表示装置１０がスピーカ（図示せず）のような音声出力部（図示せず）をさらに含む場合、モジュール制御信号は音声出力部（図示せず）から出力される音量を制御する信号であり得る。
【００３６】
ハンドリング部８３０はユーザのハンドリングによって電圧レベルが調節されるユーザコマンド信号（ＵＣＳ＿Ａ）を出力する。すなわち、タイミングコントローラ６００はユーザコマンド信号（ＵＣＳ＿Ａ）の電圧レベルにしたがってモジュール制御信号（ＤＩＭ，ＯＮ／ＯＦＦ）を出力する。
【００３７】
このようなハンドリング部８３０を図５及び図６を参照して具体的に説明する。ここでは図１に示すように、ハンドリング部８３０が液晶表示装置上に設けられた３つのボタンＢ１，Ｂ２，Ｂ３である場合を説明するが、これに限定されず、さらに多くのボタンを含むことができる。またハンドリング部８３０が液晶表示装置上に設けられたボタンＢ１，Ｂ２，Ｂ３ではなくキーボードであることもでき、または有線／無線リモートコンでもあり得る。
【００３８】
まず、図５を参照すれば、ハンドリング部８３０は抵抗Ｒ１，Ｒ２，Ｒ３，Ｒ４とキャパシタＣを含む。図１に示す３つのキーパッドＢ１，Ｂ２，Ｂ３はそれぞれスイッチ機能を有する。
【００３９】
ユーザが第１ボタンＢ１を押せば、第１抵抗Ｒ１、第４抵抗Ｒ４及びキャパシタＣがＲ−Ｃ回路を構成するようになる。キャパシタＣに充電された電圧はユーザコマンド信号（ＵＣＳ＿Ａ）（ここでユーザコマンド信号はアナログ信号であるので、説明の便宜上、以下ではアナログユーザコマンド信号という。）として出力される。したがって、キャパシタＣに充電される電圧、すなわちアナログユーザコマンド信号（ＵＣＳ＿Ａ）は図６の第１グラフＧ１の実線のようになる。または、ハンドリング部８３０の内部回路構成によってオーバーシュートを有する第１グラフＧ１の点線のようになることもある。すなわち、アナログユーザコマンド信号（ＵＣＳ＿Ａ）は、第１ボタンＢ１を押す時点ｔｐから、例えば０Ｖから第１電圧レベルＶ＿Ｂ１に遷移する過渡応答区間Ｐ＿ＴＲを有し、過渡応答区間Ｐ＿ＴＲの後には所定時間の間、所定マージンを有して第１電圧レベルに維持される定常状態区間Ｐ＿ＳＴを有する。定常状態区間Ｐ＿ＳＴでアナログユーザコマンド信号（ＵＣＳ＿Ａ）は第１電圧レベル（Ｖ＿Ｂ１）を有する。第１電圧レベル（Ｖ＿Ｂ１）は３．３Ｖが第１抵抗Ｒ１と第４抵抗Ｒ４によって分圧された値、すなわち３．３Ｖ×Ｒ４／（Ｒ１＋Ｒ４）になる。例えば、第１抵抗Ｒ１及び第４抵抗Ｒ４値によって第１電圧レベル（Ｖ＿Ｂ１）は０．８３Ｖであり得る。ここで第１電圧レベル（Ｖ＿Ｂ１）は所定のマージンを有することができるので、第１電圧レベル（Ｖ＿Ｂ１）は０．６３Ｖ〜１．０３Ｖであり得る。タイミングコントローラ６００は、０．６３Ｖ〜１．０３Ｖの第１電圧レベル（Ｖ＿Ｂ１）が入力されれば、ユーザが第１ボタンＢ１を押したと認識することができる。
【００４０】
ユーザが第２ボタンＢ２を押せば、第２抵抗Ｒ２、第４抵抗Ｒ４及びキャパシタＣがＲ−Ｃ回路を構成するようになる。このとき、第２抵抗Ｒ２が第１抵抗Ｒ１より小さい抵抗値を有すれば、アナログユーザコマンド信号（ＵＣＳ＿Ａ）は図６の第２グラフＧ２のようになる。すなわち、アナログユーザコマンド信号（ＵＣＳ＿Ａ）は、第２ボタンＢ２を押す時点ｔｐから、例えば０Ｖから第２電圧レベル（Ｖ＿Ｂ２）に遷移する過渡応答区間（Ｐ＿ＴＲ）を有し、過渡応答区間（Ｐ＿ＴＲ）の後は３．３Ｖ×Ｒ４／（Ｒ２＋Ｒ４）の第２電圧レベル（Ｖ＿Ｂ２）が所定時間の間、出力される定常状態区間（Ｐ＿ＳＴ）を有する。例えば、第２抵抗Ｒ２及び第４抵抗Ｒ４値によって第２電圧レベル（Ｖ＿Ｂ２）は１．６５Ｖであり得る。ここで第２電圧レベル（Ｖ＿Ｂ２）は所定マージンを有することができる。例えば、第２電圧レベル（Ｖ＿Ｂ２）は１．４５Ｖ〜１．８５Ｖであり得る。タイミングコントローラ６００は、１．４５Ｖ〜１．８５Ｖの第２電圧レベル（Ｖ＿Ｂ２）が入力されれば、ユーザが第２ボタンＢ２を押したと認識することができる。
【００４１】
同様に、ユーザが第３ボタンＢ３を押せば、第３抵抗Ｒ３、第４抵抗Ｒ４及びキャパシタＣがＲ−Ｃ回路を構成するようになり、このとき、第３抵抗Ｒ３が第２抵抗Ｒ２より小さい抵抗値を有すれば、アナログユーザコマンド信号（ＵＣＳ＿Ａ）は図６の第３グラフＧ３のようになる。すなわち、アナログユーザコマンド信号（ＵＣＳ＿Ａ）は第３ボタンＢ３を押す時点ｔｐから、例えば０Ｖから第１電圧レベル（Ｖ＿Ｂ１）に遷移する過渡応答区間（Ｐ＿ＴＲ）を有し、過渡応答区間（Ｐ＿ＴＲ）の後には３．３Ｖ×Ｒ４／（Ｒ２＋Ｒ４）の第３電圧レベル（Ｖ＿Ｂ３）が所定時間の間、一定に出力される定常状態区間（Ｐ＿ＳＴ）を有する。例えば、第３抵抗Ｒ３及び第４抵抗Ｒ４値によって第３電圧レベル（Ｖ＿Ｂ３）は１．６５Ｖであり得る。ここで第３電圧レベル（Ｖ＿Ｂ３）は所定マージンを有することができる。例えば、第３電圧レベル（Ｖ＿Ｂ３）は２．２８Ｖ〜２．６８Ｖであり得る。タイミングコントローラ６００は、２．２８Ｖ〜２．６８Ｖの第２電圧レベル（Ｖ＿Ｂ２）が入力されれば、ユーザが第２ボタンＢ２を押したと認識することができる。
【００４２】
整理すれば、ハンドリング部８３０は、ユーザのハンドリングによって第１電圧レベル（Ｖ＿Ｂ１）、第２電圧レベル（Ｖ＿Ｂ２）及び第３電圧レベル（Ｖ＿Ｂ３）のいずれか１つの電圧レベルを有するアナログユーザコマンド信号（ＵＣＳ＿Ａ）を出力するようになる。ただし、各場合にアナログユーザコマンド信号（ＵＣＳ＿Ａ）は過渡応答区間（Ｐ＿ＴＲ）と定常状態区間（Ｐ＿ＳＴ）とを有する。
【００４３】
タイミングコントローラ６００はアナログユーザコマンド信号（ＵＣＳ＿Ａ）の電圧レベルにしたがってモジュール制御信号（ＤＩＭ，ＯＮ／ＯＦＦ）を出力する。例えば、第１電圧レベル（Ｖ＿Ｂ１）のアナログユーザコマンド信号（ＵＣＳ＿Ａ）を受ければ、輝度を下げるディミング信号（ＤＩＭ）を出力し、第２電圧レベル（Ｖ＿Ｂ２）のアナログユーザコマンド信号（ＵＣＳ＿Ａ）を受ければ、輝度を上げるディミング信号（ＤＩＭ）を出力し、第３電圧レベル（Ｖ＿Ｂ３）のアナログユーザコマンド信号（ＵＣＳ＿Ａ）を受ければ、オン／オフ信号（ＯＮ／ＯＦＦ）を出力することができる。すなわち、タイミングコントローラ６００が過渡応答区間（Ｐ＿ＴＲ）のアナログユーザコマンド信号（ＵＣＳ＿Ａ）を無視して、定常状態区間（Ｐ＿ＳＴ）のアナログユーザコマンド信号Ｕ（ＣＳ＿Ａ）の電圧レベルにしたがってモジュール制御信号（ＤＩＭ，ＯＮ／ＯＦＦ）を出力するので、誤動作が低減する。
【００４４】
このようなタイミングコントローラ６００、これを含む液晶表示装置１０及び液晶表示装置１０の駆動方法は以下で各実施形態によってより具体的に開示される。
【００４５】
図７及び図８を参照して本発明の一実施形態によるタイミングコントローラ、これを含む液晶表示装置及び液晶表示装置の駆動方法を説明する。図７は本発明の一実施形態によるタイミングコントローラ、これを含む液晶表示装置及び液晶表示装置の駆動方法を説明するためのブロック図であり、図８は図７のタイミングコントローラの動作を説明するための信号図である。以下ではユーザが第１ボタンを押せば、タイミングコントローラがこれに対応して輝度を下げるディミング信号（ＤＩＭ）を出力する場合を説明する。
【００４６】
図７を参照すれば、タイミングコントローラ６０１はアナログデジタルコンバータ６１１と、カウンタ部６２１と、制御信号生成部６３１を含む。アナログデジタルコンバータ６１１と、カウンタ部６２１と、制御信号生成部６３１は、内部クロック信号（ＣＬＫ）に同期して動作する。図８にはユーザが第１ボタンＢ１を押した時点ｔｐからアナログユーザコマンド信号（ＵＣＳ＿Ａ）の電圧レベルの時間による変化と、内部クロック信号（ＣＬＫ）及びカウンタ部６２１の動作が示されている。アナログユーザコマンド信号（ＵＣＳ＿）の定常状態区間（Ｐ＿ＳＴ）でカウンタ部６２１がコンバーティングイネーブル信号（ＣＯＮ＿ＥＮ）を提供すれば、アナログデジタルコンバータ６１１は定常状態区間（Ｐ＿ＳＴ）のユーザコマンド信号（ＵＣＳ＿Ａ）をデジタル形態のデジタルユーザコマンド信号（ＵＣＳ＿Ｄ）に変換する。そして、制御信号生成部６３１はデジタルユーザコマンド信号（ＵＣＳ＿Ｄ）に対応してモジュール制御信号（ＤＩＭ）を出力する。すなわち、本実施形態によるタイミングコントローラ６０１は過渡応答区間（Ｐ＿ＴＲ）のアナログユーザコマンド信号（ＵＣＳ＿Ａ）の電圧レベルを無視して、定常状態区間（Ｐ＿ＳＴ）のアナログユーザコマンド信号（ＵＣＳ＿Ａ）をデジタル形態のデジタルユーザコマンド信号（ＵＣＳ＿Ｄ）に変換し、デジタルユーザコマンド信号（ＵＣＳ＿Ｄ）に対応するモジュール制御信号（ＤＩＭ）を生成する。
【００４７】
図８を参照してより具体的に説明する。図８には過渡応答区間がオーバーシュートを有する場合が示されている。ユーザが第１ボタンＢ１を押す時点ｔｐからアナログユーザコマンド信号（ＵＣＳ＿Ａ）は０Ｖから徐々に電圧レベルが増加する。アナログユーザコマンド信号（ＵＣＳ＿Ａ）の電圧レベルが基準電圧Ｖｒｅｆレベルになる時点ｔｓで、カウンタ部６２１は内部クロック信号（ＣＬＫ）のクロック数をカウントし始める。カウンタ部６２１は内部クロック信号（ＣＬＫ）のクロック数をｍ回（ｍは自然数、図８でｍ＝４）カウントした後に、内部クロック信号（ＣＬＫ）のライジングエッジ時点ｔｅにコンバーティングイネーブル信号（ＣＯＮ＿ＥＮ）を出力する。これによって、アナログデジタルコンバータ６１１は定常状態区間（Ｐ＿ＳＴ）で第１電圧レベル（Ｖ＿Ｂ１）を有するアナログユーザコマンド信号（ＵＣＳ＿Ａ）をデジタルユーザコマンド信号（ＵＣＳ＿Ｄ）に変換することができ、制御信号生成部６３１はデジタルユーザコマンド信号（ＵＣＳ＿Ｄ）を受けてモジュール制御信号、例えば輝度を下げるディミング信号（ＤＩＭ）を出力することができる。ここで、ｍの値は、カウンタ部６２１がカウントを始めた後、アナログユーザコマンド信号（ＵＣＳ＿Ａ）が定常状態区間（Ｐ＿ＳＴ）に突入するまでの時間によって可変できる。
【００４８】
整理すれば、タイミングコントローラ６０１が定常状態のアナログユーザコマンド信号（ＵＣＳ＿Ａ）の電圧レベルに応答してモジュール制御信号（ＤＩＭ）を出力する。したがって、タイミングコントローラ６０１はユーザのハンドリングによって適切なモジュール制御信号（ＤＩＭ）を出力するので、誤動作が低減する。
【００４９】
図９及び図１０を参照して本発明の他の実施形態によるタイミングコントローラ、これを含む液晶表示装置及び液晶表示装置の駆動方法を説明する。図９は本発明の一実施形態によるタイミングコントローラ、これを含む液晶表示装置及び液晶表示装置の駆動方法を説明するためのブロック図であり、図１０は図９のタイミングコントローラの動作を説明するための信号図である。以下ではユーザが第１ボタンを押せば、タイミングコントローラがこれに対応して輝度を下げるディミング信号を出力する場合を説明する。また、第１電圧レベルは論理レベル［０１］に対応し、第２電圧レベルは論理レベル［１０］に対応し、第３電圧レベルは論理レベル［１１］に対応する場合を説明する。
【００５０】
図９及び図１０を参照すれば、以前実施形態とは違って、本実施形態によるタイミングコントローラ６０２は、過渡応答区間（Ｐ＿ＴＲ）のアナログユーザコマンド信号（ＵＣＳ＿Ａ）をデジタル形態のデジタルユーザコマンド信号（ＵＣＳ＿Ｄ）に変換し、定常状態区間（Ｐ＿ＳＴ）のユーザコマンド信号（ＵＣＳ＿Ａ）をデジタル形態のデジタルユーザコマンド信号（ＵＣＳ＿Ｄ）に変換し、過渡応答区間（Ｐ＿ＴＲ）のデジタルユーザコマンド信号（ＵＣＳ＿Ｄ）を無視して、定常状態区間（Ｐ＿ＳＴ）のデジタルユーザコマンド信号（ＵＣＳ＿Ｄ）に対応するモジュール制御信号（ＤＩＭ）を生成する。
【００５１】
より具体的に説明すれば、図１０に示されたように、アナログデジタルコンバータ６１２は内部クロック信号（ＣＬＫ）に同期して過渡応答区間（Ｐ＿ＴＲ）でアナログユーザコマンド信号（ＵＣＳ＿Ａ）をデジタルユーザコマンド信号（ＵＣＳ＿Ｄ）に変換する。すなわち、過渡応答区間（Ｐ＿ＴＲ）でデジタルユーザコマンド信号（ＵＣＳ＿Ｄ）の論理レベルは［０１］、［１１］、［１０］に順次に可変される。また、アナログデジタルコンバータ６１２は内部クロック信号（ＣＬＫ）に同期して定常状態区間（Ｐ＿ＳＴ）のアナログユーザコマンド信号（ＵＣＳ＿Ａ）をデジタルユーザコマンド信号（ＵＣＳ＿Ｄ）に変換する。すなわち、定常状態区間（Ｐ＿ＳＴ）でデジタルユーザコマンド信号（ＵＣＳ＿Ｄ）の論理レベルは［０１］になる。
【００５２】
カウンタ部６２２は、アナログユーザコマンド信号（ＵＣＳ＿Ａ）の電圧レベルが基準電圧Ｖｒｅｆレベルになった時点ｔｓから内部クロック信号（ＣＬＫ）のクロック数をカウントし始める。カウンタ部６２１は内部クロック信号（ＣＬＫ）のクロック数をｍ回（ｍは自然数、図８でｍ＝４）カウントした後に、内部クロック信号（ＣＬＫ）のライジングエッジ時点ｔｅにジェネレーティングイネーブル信号（ＧＥＮ＿ＥＮ）を出力する。制御信号生成部６３２はジェネレーティングイネーブル信号（ＧＥＮ＿ＥＮ）を受け、ｔｅ時点にアナログデジタルコンバータ６１２から提供された論理レベル［０１］のデジタルユーザコマンド信号（ＵＣＳ＿Ｄ）に応答してモジュール制御信号（ＤＩＭ）、例えば輝度を下げるディミング信号（ＤＩＭ）を出力する。ここでｍの値は、カウンタ部６２２がカウントを始めた後、アナログユーザコマンド信号（ＵＣＳ＿Ａ）が定常状態区間（Ｐ＿ＳＴ）に突入されるまでの時間によって可変にできる。
【００５３】
整理すれば、タイミングコントローラ６０２が定常状態のアナログユーザコマンド信号（ＵＣＳ＿Ａ）の電圧レベルに応答してモジュール制御信号（ＤＩＭ）を出力する。したがって、タイミングコントローラ６０２はユーザのハンドリングによる正しいモジュール制御信号（ＤＩＭ）を出力するので、誤動作が低減する。
【００５４】
尚、本発明は、上述の実施形態に限られるものではない。本発明の技術的範囲から逸脱しない範囲内で多様に変更実施することが可能である。
【産業上の利用可能性】
【００５５】
本発明は、タイミングコントローラ、これを含む液晶表示装置及び液晶表示装置の駆動方法に利用し得る。
【図面の簡単な説明】
【００５６】
【図１】本発明の実施形態によるタイミングコントローラ、これを含む液晶表示装置及び液晶表示装置の駆動方法を説明するための液晶表示装置の背面図である。
【図２】図１の液晶表示装置の正面図である。
【図３】図１の液晶表示装置の概略的なブロック図である。
【図４】図３の一画素の等価回路図である。
【図５】図３のハンドリング部の例示的な回路図である。
【図６】図５の動作を説明するためのグラフである。
【図７】本発明の一実施形態によるタイミングコントローラ、これを含む液晶表示装置及び液晶表示装置の駆動方法を説明するためのブロック図である。
【図８】図７のタイミングコントローラの動作を説明するための信号図である。
【図９】本発明の一実施形態によるタイミングコントローラ、これを含む液晶表示装置及び液晶表示装置の駆動方法を説明するためのブロック図である。
【図１０】図９のタイミングコントローラの動作を説明するための信号図である。
【符号の説明】
【００５７】
１０、１１    液晶表示装置
３００    液晶パネル
４００    ゲート駆動部
５００    データ駆動部
６００、６０１、６０２    タイミングコントローラ
６１１、６１２    アナログデジタルコンバータ
６２１、６２２    カウンタ部
６３１、６３２    制御信号生成部
７００    回路基板
７１０    第１コネクタ
７２０    第２コネクタ
７３０    送信ケーブル
８１０    インバータ
８２０    電源供給部
８３０    ハンドリング部
９００    バックライトユニット
【図１】
2008310279.tif 000003
【図２】
2008310279.tif 000004
【図３】
2008310279.tif 000005
【図４】
2008310279.tif 000006
【図５】
2008310279.tif 000007
【図６】
2008310279.tif 000008
【図７】
2008310279.tif 000009
【図８】
2008310279.tif 000010
【図９】
2008310279.tif 000011
【図１０】
2008310279.tif 000012